(57)【要約】【課題】容易には目覚し機能をオフに出来ず、さらに目覚まし機能のセットを忘れるミスを防ぐ目覚まし時計を提供することを目的とする。【解決手段】センサがユーザの重量を検知し、センサが検知した重量と記憶手段に予め記憶されている閾値とを比較し、比較結果に基づいてタイマー手段のオン・オフを切り替える。【選択図】  図１
2005003533.tif 000002
【特許請求の範囲】
【請求項１】
目覚めの為の刺激を発する報知手段と、予め設定された時刻に上記報知手段を動作させるタイマー手段とを本体内備えた目覚まし時計において、
重量を検知するセンサと、
所定の閾値を記憶する記憶手段と、
上記センサが検知した重量と上記閾値とを比較し、当該比較結果に基づいて上記タイマー手段のオン・オフを切り替える比較手段と
を具備することを特徴とする目覚まし時計。
【請求項２】
さらに、上記タイマー手段が上記センサに基づいてオンとなった時刻及びオフとなった時刻を記録し、当該時刻より睡眠時間を算出する統計手段を備える請求項１に記載の目覚まし時計。
【請求項３】
上記タイマー手段は、上記予め設定された時刻から所定の時間内は、上記報知手段の動作後にオフからオンへの切り替え時には再度上記報知手段を動作させる請求項１又は２に記載の目覚まし時計。
【請求項４】
上記比較手段は上記タイマー手段のオンへの切り替えのみを行なうと共に、
上記タイマー手段をオフに切り替える停止スイッチを上記本体とは独立して設けた請求項１〜３のいずれか１項に記載の目覚まし時計。
【請求項５】
目覚めの為の刺激を発する報知手段と、予め設定された時刻に上記報知手段を動作させるタイマー手段とを本体内に備えた目覚まし時計において、
上記タイマー手段をオフに切り替える停止スイッチを上記本体とは独立して設けたことを特徴とする目覚まし時計。
【発明の詳細な説明】
【０００１】
【発明の属する技術分野】
本発明は、目覚まし時計に関し、特に、確実な起床を促す目覚まし時計に関する。
【０００２】
【従来の技術】
現在普及している目覚まし時計では、ユーザが就寝前に、目覚まし音を鳴らすタイマースイッチをオンにし、オンの状態にあるタイマースイッチが所定の時刻に目覚まし音を鳴らすと、上記ユーザが当該タイマースイッチをオフにすることで上記目覚まし音を停止させるのが一般的である。
【０００３】
また、時間の経過と共に上記目覚まし音が大きくなり、ユーザが目覚まし音を聞き逃がすことを防ぐ目覚まし時計や、目覚まし音が鳴っている場合にスヌーズスイッチを押下することにより一旦目覚まし音が鳴り止み、一定時間経過後に再度目覚まし音が鳴りだすスヌーズ機能が備わった目覚まし時計もある。当該スヌーズ機能が備わった目覚まし時計の目覚まし音を停止する際には、上記スヌーズスイッチではなく停止スイッチ（タイマースイッチ）をオフにする必要がある。当該停止スイッチは上記スヌーズスイッチに比べて操作しにくい場所、例えば目覚まし時計の背部に設けられているのが通常である。
【０００４】
【発明が解決しようとする課題】
しかしながら、同じ目覚まし時計を長い期間にわたって使用していると、上記スヌーズスイッチだけではなく上記タイマースイッチでさえ無意識のうちにオフにしてしまうことがある。このような場合には、スヌーズ機能は役に立たず、また、目覚まし音を聞き逃がすことを防ぐ工夫が行われていても無意味であるといえる。
【０００５】
また、泥酔時やうたた寝をした場合などには、タイマースイッチを入れ忘れ、結果として目覚まし機能を果たさない場合もある。
【０００６】
そこで本発明は、上記従来の事情に基づいて提案されたものであって、容易には目覚し機能をオフに出来ず、さらに目覚まし機能のセットを忘れるミスを防ぐ目覚まし時計を提供することを目的とする。
【０００７】
【課題を解決するための手段】
本発明は、上記目的を達成するために以下の手段を採用している。すなわち、本発明は、目覚めの為の刺激を発する報知手段と、予め設定された時刻に上記報知手段を動作させるタイマー手段とを本体内備えた目覚まし時計を前提としている。ここで、センサがユーザの重量を検知し、センサが検知した重量と記憶手段に予め記憶されている閾値とを比較し、比較結果に基づいてタイマー手段のオン・オフを切り替える。
【０００８】
このようにすることで、ユーザは無意識のうちにタイマー手段、即ち目覚まし音等をオフにしてしまうことなく、また、泥酔時やうたた寝をした場合等でも目覚まし機能のセットを忘れるといった事を防止し、ユーザは確実に目覚めることが可能となる。
【０００９】
また、タイマー手段がセンサに基づいてオンとなった時刻及びオフとなった時刻を記録し、この時刻より睡眠時間を算出する統計手段を備える構成がある。
【００１０】
この構成では、自動的に睡眠時間に関する情報が記録可能となり、ユーザの健康管理に役立てることが出来る。
【００１１】
さらに、タイマー手段は、予め設定された時刻から所定の時間内は、上記報知手段の動作後にオフにされ、さらに再度オンへの切り替えが行われた場合には、再度報知手段を動作させる構成がある。
【００１２】
この構成では、ユーザがセンサの検知範囲から離れ、直ちに検知範囲に戻った場合には再度報知手段が動作するため、ユーザの二度寝を防ぐことが出来る。
【００１３】
また、比較手段はタイマー手段のオンへの切り替えのみを行ない、タイマー手段をオフに切り替える停止スイッチを目覚まし時計本体とは独立して設けた構成がある。
【００１４】
この構成では、比較手段はタイマー手段のオンへの切り替えを行うのみとすることで、例えばユーザが一度目覚めた後、ベッド以外の場所で再度就寝することを防ぐことが出来る。
【００１５】
尚、目覚めの為の刺激を発する報知手段と、予め設定された時刻に上記報知手段を動作させるタイマー手段とを本体内に備えた目覚まし時計を前提とし、タイマー手段をオフに切り替える停止スイッチを本体とは独立して設ける構成でもよい。
【００１６】
この構成でも、ユーザは無意識のうちにタイマー手段、即ち目覚まし音等をオフにしてしまうことを防ぐことが可能となる。
【００１７】
【発明の実施の形態】
以下、添付図面を参照して、本発明の実施の形態につき説明し、本発明の理解に供する。尚、以下の実施の形態は、本発明を具体化した一例であって、本発明の技術的範囲を限定する性格のものではない。
（実施の形態１）
図１は、本発明の実施の形態１係る目覚まし時計の概略機能ブロック図、図２は、目覚まし時計の設置の一例を示す図であり、詳細については順次説明する。
【００１８】
本発明に係る目覚まし時計１０１は、図１に示すように、センサ１０２、比較手段１０３、メモリ１０４、タイマー手段１０５、計時手段１０６、報知手段１０７、統計手段１０８により構成される。
【００１９】
上記計時手段１０６、タイマー手段１０５、報知手段１０７は、目覚まし時計としての基本的な機を提供する。即ち、上記計時手段１０６は時計機能を提供し、上記タイマー手段１０５は、上記計時手段１０６からの時刻データを受信し、当該タイマー手段１０５がオンの状態では予め設定された時刻になると上記報知手段１０７を動作させる。上記報知手段１０７は、人の目覚めの為の刺激を発するものであり、上記刺激が音で与えられる場合には上記報知手段１０７はスピーカが該当する。尚、上記刺激に音以外の例えば光などが利用される場合には、上記報知手段１０７にはフラッシュ等が該当するが、目覚ましの手段であればどのようなものでもよい。
【００２０】
上記基本的な機能に加えて、上記目覚まし時計１０１は、センサ１０２、メモリ１０４、比較手段１０３を備え、さらに必要に応じて統計手段１０８を備える。上記センサは例えば重量センサ、圧力センサが該当する。また、上記メモリ１０４には、検知重量の閾値として例えば１０（ｋｇ）という値の数値が格納されている。当該数値は、上記センサ１０２が重量を検知する場合の例であり、詳細は後述する。
【００２１】
続いて、本発明に係る目覚まし時計１０１の処理の詳細について説明する。当該目覚まし時計１０１は、図２に示すように、ベッド２０１等、睡眠場所の周辺に設置され、当該目覚まし時計１０１に接続されるセンサ１０２は、例えば上記ベッド２０１の脚部に重量検知可能に設置される。尚、設置は、ユーザの重量を検知可能な場所であればよく、例えば敷布団等の寝具２０２の下部等でもよい。
【００２２】
上記のように目覚まし時計１０１が設置された状態では、センサ１０２はベッド２０１や寝具２０２等の重量を検知しており、例えば目覚まし時計１０１に備えられる図示しないメモリボタンを押下することで、この状態で検知している重量が比較手段１０３を介してメモリ１０４に基準値として記憶される。
【００２３】
上記比較手段１０３は、上記センサ１０２が検知している重量と上記メモリ１０４に予め記憶されている閾値とを常時比較している。この際、上記センサ１０２が検知している重量は上記基準値により補正されており、上記ベッド２０１に人が乗っていない場合には  検出重量＝０  である。つまり、上記ベッド２０１に人が乗っていない状態では、検出重量＜閾値（１０ｋｇ）となり、上記比較手段１０３は、上記タイマー手段１０５に対して所定の信号を送信しない。つまり上記タイマー手段１０５はオフの状態となるので、予め設定された所定の時刻になっても上記報知手段１０７は動作しない。
【００２４】
以上のように設定された状態のベッド２０１上でユーザが就寝しようとすると、上記センサ１０２は上記ベッド２０１に掛かった上記ユーザの体重を検出する。尚、ここでは、上記ユーザの体重を８０ｋｇとし、上記センサ１０２は当該体重の１／４を検出するものとする。
【００２５】
上記センサ１０２が検出した重量は上記比較手段１０３にて受け取られ、当該比較手段１０３は、当該検出した重量と上記閾値とを比較する。つまり、検出重量（２０ｋｇ）＞＝閾値（１０ｋｇ）となるため、上記比較手段１０３は上記タイマー手段１０５に対して所定の信号を送信し、即ち上記タイマー手段１０５はオンの状態となる。上記タイマー手段１０５がオンになると、当該オンになった時刻が統計手段１０８に読み取られる。尚、当該タイマー手段１０５がオンの状態になってはいるが、上記ユーザは上記目覚まし時計１０１に対して、タイマー手段１０５をオンにする作業を何ら行っていない。
【００２６】
このような状態でユーザが就寝し予め設定された所定の時刻になると、上記タイマー手段１０５は上記報知手段１０７を動作させることで、例えば目覚まし音が報知手段１０７より発せられる。
【００２７】
上記目覚まし音が発せられると、ユーザは目覚まし音に反応し当該目覚まし音を停止しようとする。しかしながら、上記目覚まし音の停止スイッチは上記センサ１０２がユーザの体重を検知している限りオフにすることは出来ない。このため、ユーザは上記ベッド２０１から立ち上がる必要がある。ユーザがベッドから立ち上がるという動作は、停止スイッチを押してしまうという動作とは異なり、無意識に行うことが出来ない。即ち、ユーザは少なくとも意識的に目覚まし音を停止するための動作（ベッドから立ち上がる動作）を行う必要があり、確実に目覚めることが可能となる。
【００２８】
上記ユーザがベッド２０１から立ち上がり、上記タイマー手段１０５がオフになると、当該オフになった時刻が統計手段１０８に読み取られ、当該統計手段１０８はオンになった時刻とオフになった時刻とより睡眠時間を算出し、日時情報と共に例えば上記メモリ１０４に記録する。これによりユーザの日々の睡眠時間に関する情報が自動的に記録可能となり、ユーザの健康管理に役立てることが出来る。尚、このように統計手段１０８によりメモリ１０４に記録された情報は、例えば目覚まし時計１０１に設けられたディスプレイにて表示可能とし、或いはパーソナルコンピュータを接続して読み出すことが可能である。
【００２９】
以上のように、重量センサがタイマー手段のオン・オフを制御することにより、ユーザは無意識のうちに目覚まし音をオフにしてしまうことなく、また、泥酔時やうたた寝をした場合等でも目覚まし機能のセットを忘れるといった事を防止し、ユーザは確実に目覚めることが可能となる。また、統計手段を設けることで自動的に睡眠時間に関する情報が記録可能となり、ユーザの健康管理に役立てることが出来る。
【００３０】
尚、ユーザが立ち上がり、また直ちにベッド２０１上に戻った場合では、一旦タイマー手段１０５がオフになるために、次回の予め設定された時刻まで報知手段１０７が動作しない場合が考えられる。このようなことを防ぐために、例えば上記予め設定された時刻から所定の時間、例えば１時間以内にタイマー手段１０５がオンになった場合には上記報知手段１０７を動作させるようにしてもよい。これにより、ユーザがベッド２０１から立ち上がり、直ちにベッド２０１上に戻った場合には再度報知手段１０７が動作するため、ユーザの二度寝を防ぐことが出来る。
【００３１】
本実施の形態１で述べた閾値＝１０ｋｇは必ずしも設ける必要はなく、例えば０ｋｇとして比較手段による比較を省略してもよいが、人は就寝中に発汗を伴い、これが寝具の重量増を招くため、上記閾値＝０ｋｇとした場合には実装上問題が生じる可能性がある。このため、適当な閾値を設けるのが望ましい。
（実施の形態２）
図３は、本発明の実施の形態２係る目覚まし時計の概略機能ブロック図、図４は、目覚まし時計の設置の一例を示す図である。
【００３２】
本発明に係る目覚まし時計３０１は、図３に示すように、目覚まし時計３０１の本体内にタイマー手段１０５、計時手段１０６、報知手段１０７、及び当該目覚まし時計３０１本体とは独立に停止スイッチ３０２が設けられて構成される。
【００３３】
上記計時手段１０６、タイマー手段１０５、報知手段１０７は、目覚まし時計としての基本的な機を提供し、動作は上記実施の形態１にて示したのと同様である。
【００３４】
本実施の形態２では、図４に示すように、タイマー手段をオフにするための停止スイッチが上記目覚まし時計３０１本体とは独立して設けられており、例えば有線、或いは無線により信号伝達が可能となっている。尚、本実施の形態では、上記目覚まし時計３０１は寝室に、上記停止スイッチ３０２は洗面所にそれぞれ設けられているものとする。
【００３５】
このように構成された目覚まし時計３０１を利用するに際して、ユーザは就寝時に上記目覚まし時計３０１のタイマー手段１０６をオンにするスイッチを押下する。当該スイッチは目覚まし時計３０１本体に設けられてもよいが、停止スイッチ３０２で代用することも可能である。
【００３６】
このような状態で、ユーザが就寝し予め設定された所定の時刻になると、上記タイマー手段１０５は上記報知手段１０７を動作させることで、例えば目覚まし音が報知手段１０７より発せられる。
【００３７】
上記目覚まし音が発せられると、ユーザは目覚まし音に反応し当該目覚まし音を停止しようとする。しかしながら、上記目覚まし音の停止スイッチは上記停止スイッチ３０２を押下することでしかにすることは出来ない。このため、ユーザは上記ベッド２０１から立ち上がり、さらに異なる部屋である洗面所に行く必要がある。このような動作はユーザが無意識に行うことが出来ない。即ち、ユーザは少なくとも意識的に目覚まし音を停止するための動作（異なる部屋で停止スイッチを押下する動作）を行う必要があり、確実に目覚めることが可能となる。
【００３８】
以上のように、タイマー手段をオフにする停止スイッチを、目覚まし時計本体とは独立して設けることにより、ユーザは無意識のうちにタイマー手段をオフにしてしまうことがない。
【００３９】
尚、本実施の形態２に示した停止スイッチ３０２を上記実施の形態１に示した目覚まし時計に設けてもよい。この場合、比較手段１０３はタイマー手段１０５のオンへの切り替えを行うのみとすることで、例えばユーザが一度目覚めた後（起き上がった後）、ベッド以外の場所である例えば床の上等で再度就寝することを防ぐことが出来る。
【００４０】
上記実施の形態１、２では、タイマー手段をオフにすることで報知手段が発する目覚まし音を停止しているが、直接報知手段をオフにすることで目覚まし音を停止しても同様である。
【００４１】
【発明の効果】
センサがタイマー手段のオン・オフを制御することにより、ユーザは無意識のうちにオフにしてしまうことなく、また、泥酔時やうたた寝をした場合等でも目覚まし機能のセットを忘れるといった事を防止し、ユーザは確実に目覚めることが可能となる。
【００４２】
また、統計手段を設けることで自動的に睡眠時間に関する情報が記録可能となり、ユーザの健康管理に役立てることが出来る。
【００４３】
またさらに、タイマー手段は、予め設定された時刻から所定の時間内は、上記報知手段の動作後にオフにされ再度オンへの切り替えが行われた場合には、再度報知手段を動作させる構成とすることで、ユーザがセンサの検知範囲から離れ、直ちに検知範囲に戻った場合でも再度報知手段が動作するため、ユーザの二度寝を防ぐことが出来る。
【００４４】
またさらに、タイマー手段をオフにする停止スイッチを、目覚まし時計本体とは独立して設けることにより、ユーザは無意識のうちにタイマー手段をオフにしてしまうことがない。
【００４５】
またさらに、センサ、比較手段、メモリ、及び独立した停止スイッチを目覚まし時計に設け、比較手段はタイマー手段のオンへの切り替えを行うのみとすることで、例えばユーザが一度目覚めた後、ベッド以外の場所で再度就寝することを防ぐことが出来る。
【図面の簡単な説明】
【図１】実施の形態１係る目覚まし時計の概略機能ブロック図。
【図２】実施の形態１係る目覚まし時計の設置の一例を示す図。
【図３】実施の形態２係る目覚まし時計の概略機能ブロック図。
【図４】実施の形態２係る目覚まし時計の設置の一例を示す図。
【符号の説明】
１０１  目覚まし時計
１０２  センサ
１０３  比較手段
１０４  メモリ（記憶手段）
１０５  タイマー手段
１０６  計時手段
１０７  報知手段
１０８  統計手段
３０１  目覚まし時計
３０２  停止スイッチ
【図１】
2005003533.tif 000003
【図２】
2005003533.tif 000004
【図３】
2005003533.tif 000005
【図４】
2005003533.tif 000006